(57)【要約】      （修正有）【課題】記録容量の低下やスピンドルモータの起動時間の長期化を抑制しつつ、装置の薄型化を実現できる磁気ディスク装置を提供する。【解決手段】磁気記録媒体１と、磁気記録媒体１上のデータを読み書きする磁気ヘッドを備えた磁気ヘッドアセンブリ３と、スピンドルモータ回転体の外周を取り囲み、磁気ヘッドアセンブリの所定移動軌跡部分を少なくとも切り欠いた形状を有するステータベースの、スピンドルモータ回転体の回転中心を中心とした円周上に、円周方向の間隔が均等となるように複数のモーターコイルを配置し、スピンドルモータ回転体を回転駆動するモータコイル組立体と、を含む磁気ディスク装置である。【選択図】図１
2007305199.tif 000002
【特許請求の範囲】
【請求項１】
磁気記録媒体と、
前記磁気記録媒体上に形成したトラックのうち、アクセスの対象となった対象トラックに情報を記録し、または当該対象トラックから情報を読み出す磁気ヘッドを備え、所定移動軌跡上を移動して、前記磁気ヘッドを対象トラックへ移送する磁気ヘッドアセンブリと、
前記磁気記録媒体に固定されたスピンドルモータ回転体と、
前記スピンドルモータ回転体の外周を取り囲み、磁気ヘッドアセンブリの所定移動軌跡部分を少なくとも切り欠いた形状を有するステータベースの、前記スピンドルモータ回転体の回転中心を中心とした円周上に、円周方向の間隔が均等となるように複数のモーターコイルを配置し、前記スピンドルモータ回転体を回転駆動するモータコイル組立体と、
を含むことを特徴とする磁気ディスク装置。
【発明の詳細な説明】
【技術分野】
【０００１】
本発明は、ハードディスク等の磁気ディスク装置に関する。
【背景技術】
【０００２】
近年のハードディスクなどの磁気ディスク装置には、記録密度や、記録容量の向上とともに、小型・薄型化が要望されている。
【０００３】
近年の一般的なハードディスクは、図４に示すように、磁気ディスク媒体１と、スピンドルモータ２と、磁気ヘッドアセンブリ３と、ボイスコイルモータ４と、回路部５とを含んで構成される。
【０００４】
スピンドルモータ２は、図５に示した、磁気ディスク媒体１の回転中心を含む面での断面図によると、モータハブ２１と、モータハブ内の外周側に、円周状に配列された永久磁石２２と、ステータベース２３に巻き線を巻回して形成したモータコイル２４と、スピンドルモータ２内に生じる磁界が磁気ディスク媒体１に記録されている磁気信号へ影響することを防止する磁気シールド２５とを含む。
【０００５】
モータハブ２１は、磁気ディスク媒体１を支持している。このスピンドルモータ２を回転させる際は、各モータコイル２４を用いて励磁し、永久磁石２２を内蔵したモータハブ２１を回転駆動する。ここで示した例では、スピンドルモータ２は三相交流により駆動されるものであり、従ってモータコイル２４は３の倍数（ここでは９個）だけ設けられる。
【０００６】
このスピンドルモータ２においては、さらにその平面図を図６に示すように、円周上にほぼ等間隔にモータコイルが配列されている。
【０００７】
一方、磁気ヘッドアセンブリ３は、ボイスコイルモータ４によって、その回転中心を中心として、所定角度の範囲で回り動く。このとき、磁気ディスク媒体１の最内周のトラックへヘッドを移動させるときには、磁気ディスク媒体１とステータベース２３との間隙（図５のＤの間隔）にヘッドが移動することとなっている。
【０００８】
なお回路部５は、パーソナルコンピュータなどのホストに接続されている。回路部５は、スピンドルモータ２を回転駆動させ、また、ホスト側から入力されるアクセスの指示に従い、磁気ディスク媒体１上に形成されたトラックのうち、アクセスの対象となったトラックにヘッドを移動させるべく、ボイスコイルモータ４を回転駆動する。さらに回路部５は、磁気ヘッドアセンブリ３に搭載されているヘッドが磁気ディスク媒体１から読み出した信号より復調したデータをホストへ出力する。またホストから、記録するべきデータの入力を受けて、磁気ヘッドアセンブリ３に搭載されているヘッドへ当該データに係る信号を出力して、磁気ディスク媒体１上に記録させる。
【特許文献１】特開平１１−１１０８９６号公報
【発明の開示】
【発明が解決しようとする課題】
【０００９】
このように、磁気ディスク媒体１上に情報を読み書きするためのヘッドが移送されてくることから、このヘッドの厚さ分を考慮して、磁気ディスク媒体１の面から離した位置にモータコイル組立体ステータベース２３を含む部材（モータコイル組立体）を実装する必要があった。
【００１０】
従って、さらなる薄型化をはかろうとした場合でもこの間隙（図５のＤ）を狭くすることはできない。薄型化のためにこの間隙を狭くする場合は、磁気ディスク媒体１の内周側で、ステータベース２３の円周に係る部分を使用しないこととするか、またはモータコイル２４の実装容積を小さくすることとなる。
【００１１】
しかし、磁気ディスク媒体１の内周側を使用しないこととすれば、記録容量が小さくなる。またモータコイル２４は、その実装容積が小さくなるほど、駆動能力が低下し、スピンドルモータの起動時間が長くなってしまう。
【００１２】
本発明は上記実情に鑑みて為されたもので、記録容量の低下やスピンドルモータの起動時間の長期化を抑制しつつ、装置の薄型化を実現できる磁気ディスク装置を提供することを、その目的の一つとする。
【００１３】
なお、特許文献１には、ステータコイルの形状を、磁気ヘッドの可動範囲と干渉する範囲以上の切り欠きを設けた軸非対称形状として、磁気ヘッドとステータコイルとの干渉を防止した技術が開示されている。
【課題を解決するための手段】
【００１４】
上記従来例の問題点を解決するための本発明は、磁気ディスク装置であって、磁気記録媒体と、前記磁気記録媒体上に形成したトラックのうち、アクセスの対象となった対象トラックに情報を記録し、または当該対象トラックから情報を読み出す磁気ヘッドを備え、所定移動軌跡上を移動して、前記磁気ヘッドを対象トラックへ移送する磁気ヘッドアセンブリと、前記磁気記録媒体に固定されたスピンドルモータ回転体と、前記スピンドルモータ回転体の外周を取り囲み、磁気ヘッドアセンブリの所定移動軌跡部分を少なくとも切り欠いた形状を有するステータベースの、前記スピンドルモータ回転体の回転中心を中心とした円周上に、円周方向の間隔が均等となるように複数のモーターコイルを配置し、前記スピンドルモータ回転体を回転駆動するモータコイル組立体と、を含むことを特徴としている。
【発明を実施するための最良の形態】
【００１５】
本発明の実施の形態について図面を参照しながら説明する。本実施の形態の磁気ディスク装置は、図１に示すように、磁気ディスク媒体１と、スピンドルモータ６と、磁気ヘッドアセンブリ３と、ボイスコイルモータ４と、回路部５とを含んで構成される。
【００１６】
磁気ディスク媒体１は、例えばガラスまたはアルミを用いた基材の表面に磁性膜を形成したものであり、磁気信号によって情報を記録保持する。磁気ヘッドアセンブリ３は、ボイスコイルモータ４によって回転駆動され、その回転中心を中心として、所定角度の範囲（可動範囲）で回り動く。
【００１７】
回路部５は、パーソナルコンピュータなどのホストに接続されている。回路部５は、スピンドルモータ６を回転駆動させ、また、ホスト側から入力されるアクセスの指示に従い、磁気ディスク媒体１上に形成されたトラックのうち、アクセスの対象となったトラックにヘッドを移動させるべく、ボイスコイルモータ４を回転駆動する。さらに回路部５は、磁気ヘッドアセンブリ３に搭載されているヘッドが磁気ディスク媒体１から読み出した信号より復調したデータをホストへ出力する。またホストから、記録するべきデータの入力を受けて、磁気ヘッドアセンブリ３に搭載されているヘッドへ当該データに係る信号を出力して、磁気ディスク媒体１上に記録させる。
【００１８】
本実施の形態のスピンドルモータ６は三相交流によって駆動されるものとする。従ってスピンドルモータ６においては、モータコイルが３の倍数個だけ必要となる。このスピンドルモータ６は、図２、図３にそれぞれ断面図と平面図とを示すように、モータハブ２１と、モータハブ内の外周側に円周状に配列された永久磁石２２と、モータハブ２１の外周を取り囲むステータベース２６に巻き線を巻回して形成したモータコイル２７と、スピンドルモータ２内に生じる磁界が磁気ディスク媒体１に記録されている磁気信号へ影響することを防止する磁気シールド２５とを含む。
【００１９】
ここで、モータハブ２１は、例えばステンレスまたはアルミまたは鉄で形成されており、磁気ディスク媒体１は、このモータハブ２１に固定される。このモータハブ２１が本発明のスピンドルモータ回転体に相当し、ステータベース２６とモータコイル２７とが本発明におけるモータコイル組立体に相当する。本実施の形態では、このモータコイル組立体のステータベース２６は、図３に示すように、少なくとも磁気ヘッドアセンブリ３の可動範囲で規定される移動軌跡部分（Ｔ）を切り欠いた形状を有する。このことにより、磁気ヘッドと、磁気ヘッドを支持するアームとがスピンドルモータ６に干渉することがなく、磁気ヘッドは、磁気ディスク媒体１と、スピンドルモータ６を支持するベースＢとの間隙（図２のＤの間隔）に入り込む。
【００２０】
従って薄型化によって、モータコイルと磁気ディスク媒体１との間隙が狭小化しても、磁気ディスク媒体１の内周側へヘッドを移動させることができるようになる。
【００２１】
また、このステータベース２６に設けたモータコイル２７は、スピンドルモータ回転体の回転中心を中心とした円周上に、円周方向の間隔が実質的に均等となるように、複数個配置される。ここではスピンドルモータ６が三相交流で回転駆動されるので、このモータコイル２７の数は、３の倍数であり、例えば６個とする。
【００２２】
すなわち、本実施の形態では、ステータベース２６の切り欠き範囲を図３に示したように回転中心Ｃを中心とした中心角θの扇形部分に相当する範囲とすればよい。そして、モータコイル２７の配置間隔φは、各モータコイル２７の周方向の幅を回転中心θから見込む角をαとして、φ＜（θ＋α）とならないよう定めた角度となる。
【００２３】
例えば、中心角θ＝５０度に相当する部分を切り欠く場合であって、α＝１０度とする場合、φは６０度以上となる。そしてこの場合、６０度ごとにモータコイル２７を配置すれば、３の倍数である６個のモータコイルを配置することができる。
【００２４】
このように本実施の形態によると、記録容量の低下やスピンドルモータの起動時間の長期化を抑制しつつ、装置の薄型化を実現できる。さらに本実施の形態では、ステータベース２６の一部を切り欠きつつも、略等間隔にモータコイルを配置するので、スピンドルモータ６の回転駆動を効率を維持でき、かつ、その回転を安定にすることができる。
【００２５】
なお、この例では、磁気ディスク媒体１が単数である場合を図示しながら説明したが、磁気ディスク媒体１は複数あってもよく、その場合、各磁気ディスク媒体１の両面にそれぞれ対応するヘッドを、磁気ヘッドアセンブリ３に設ける。また、各磁気ディスク媒体１の間には、ディスクスペーサを介在させて、その間隔を一定に保持する。
【００２６】
また、本実施の形態において、薄型化によってステータベース２６の厚みが減少する場合、モータコイルの半径方向の長さ（図３のＬ）を延長して巻き線の巻き回数を大きくすれば、スピンドルモータ６の回転能力を維持できる。このとき、モータコイルが半径方向に伸びたことにより浸食される空間は、もとより最下層に位置する磁気ディスク媒体１に対応するヘッドのために間隔Ｄだけ空けられた空間であり、他の部品の実装に関する影響がない。
【図面の簡単な説明】
【００２７】
【図１】本発明の実施の形態に係る磁気ディスク装置の構成を表す概略図である。
【図２】本発明の実施の形態に係る磁気ディスク装置のスピンドルモータを表す断面図である。
【図３】本発明の実施の形態に係る磁気ディスク装置のスピンドルモータを表す平面図である。
【図４】一般的な磁気ディスク装置の構成を表す概略図である。
【図５】一般的な磁気ディスク装置のスピンドルモータを表す断面図である。
【図６】一般的な磁気ディスク装置のスピンドルモータを表す平面図である。
【符号の説明】
【００２８】
１  磁気ディスク媒体、２，６  スピンドルモータ、３  磁気ヘッドアセンブリ、４  ボイスコイルモータ、５  回路部、２１  モータハブ、２２  永久磁石、２３，２６  ステータベース、２４，２７  モータコイル、２５  磁気シールド。
【図１】
2007305199.tif 000003
【図２】
2007305199.tif 000004
【図３】
2007305199.tif 000005
【図４】
2007305199.tif 000006
【図５】
2007305199.tif 000007
【図６】
2007305199.tif 000008